(57)【要約】【課題】回転ノブによる符号化スイッチを提供する。【解決手段】本発明の回転ノブによる符号化スイッチは、キャップ、嵌め込みリング、第一基板、駆動モジュール及び第二基板を備える。キャップは表示面、回転面及び軸筒を含む。駆動モジュールは台座及び前記台座に回転するように連結される回転部材で構成され、回転部材は軸筒内に覆設される。第一基板は台座に設置されると共に若干の第一発光素子が設置される。第二基板は前記駆動モジュールの下方に設置されると共に複数の接続端子を利用して第一基板及び最終製品の回路基板に接続される。前記駆動モジュールの回転部材は前記キャップの回転により回転され、各回転による定位に基づいて異なる符号化信号を発信させ、前記応用端製品の機能を制御させる。また、これら前記第一発光素子は前記キャップの回転定位及び回転方向に基づいて順に発光或いは消灯を行うと共に前記キャップの表示面に表示させる。【選択図】図１
2015165486.tif 000002
【特許請求の範囲】
【請求項１】
透光材質で製造され、表示面、回転面及び軸筒からなり、前記回転面は前記表示面の周縁から下に向けて延出されることで形成され、前記軸筒は前記表示面を貫通すると共に下に向けて延出されるキャップと、
台座及び前記台座に回転するように連結される回転部材からなり、前記回転部材は前記キャップの軸筒内に覆設され、それは応用端製品の回路基板に電気的に接続される駆動モジュールと、
貫通孔及び若干の第一発光素子を有し、これら前記第一発光素子は前記貫通孔を包囲させるようにそれに設置されると共に前記キャップの表示面に対向させ、前記貫通孔は前記駆動モジュールの回転部材を貫通させるように前記台座に設けられる第一基板と、
前記駆動モジュールの下方に設置され、複数の端子孔及び複数の導通端子で構成される第二基板と、
前記第二基板の複数の端子孔にそれぞれ穿設され、前記第一基板及び第二基板と電気的に接続される複数の接続端子を備え、
前記駆動モジュールの回転部材は前記キャップの回転に従って回転し、さらに各回転定位により異なる符号化信号を発信させて前記応用端製品の機能を制御させ、且つこれら前記第一発光素子は前記キャップの回転定位及び回転方向に基づいて順に発光または消灯を行うと共に前記キャップの表示面に表示させることを特徴とする、
回転ノブによる符号化スイッチ。
【請求項２】
前記駆動モジュールの台座は軸桿、位置限定部及び環状軌道を備え、前記軸桿及び前記位置限定部は前記台座の表面からそれぞれ突出すると共に相互に間隔をあけ、前記環状軌道は前記軸桿に周設されると共に前記軸桿と位置限定部との間に形成され、前記回転部材は前記軸桿に枢設され、且つ前記回転部材の周縁には干渉歯車部が設けられると共に前記環状軌道に位置され、前記駆動モジュールは、一端は前記台座の位置限定部内に連結され、他端は前記位置限定部から延出されると共に前記干渉歯車部に弾性により当接される弾性部材と、前記干渉歯車部及び前記位置限定部に冠着される蓋体と、前記台座の底部に周設され、各々の一端は前記台座から延出されて溶接アームを形成させると共に前記第二基板に電気的に接続される複数の信号端子と、前記回転部材の底部に設置され、前記複数の信号端子に電気的に接続させるための複数の接触アームからなる接触素子と、前記軸桿に内設され、光透過カバー、連接座及び前記連接座に内設される少なくとも１つの第二発光素子で構成され、前記光透過カバーは前記連接座に移動可能に連結され、且つ前記光透過カバーの上部は前記キャップの軸筒の外に露出されると共に押圧に用いられ、前記第二発光素子は前記光透過カバーが押圧されることで発光を行う押下装置を更に備え、前記回転部材は前記環状軌道に沿って枢動すると共に前記接触素子及び前記干渉歯車部を連動させて回転させ、前記接触素子の複数の接触アームを前記環状軌道に沿わせて前記複数の信号端子の異なる部位に電気的に接触させ、電気信号を最終製品の回路に伝送させ、異なる符号化信号を発信させ、前記弾性部材は前記干渉歯車部の回転に従って変形される共に前記位置限定部内まで後退し、前記回転部材は定位するまで回転し、前記弾性部材は原状を回復させると共に前記干渉歯車部に弾性により当接されることを特徴とする、請求項１記載の回転ノブによる符号化スイッチ。
【請求項３】
前記弾性部材はバネ及び当接用ヘッドを備え、前記バネの一端は前記台座の位置限定部内に固定され、他端は前記当接用ヘッドに当接され、前記当接用ヘッドは前記回転部材の干渉歯車部に当接され、前記干渉歯車部は同一平面に相互に配列される複数の歯車端部及び歯溝を有し、前記当接用ヘッドは前記干渉歯車部の回転に従って前記バネを圧縮させると共に前記位置限定部内に向けて移動し、前記回転部材が回転して定位すると、前記バネは前記当接用ヘッドを外に向けて押して前記干渉歯車部の歯溝に当接させることを特徴とする、請求項２記載の回転ノブによる符号化スイッチ。
【請求項４】
前記キャップの軸筒の内表面には複数の嵌め込みピンが凸設されると共に相互に間隔をあけて設置され、前記駆動モジュールの回転部材の外表面には複数の凹部が設けられ、前記複数の嵌め込みピンに対応するように設置され、前記複数の嵌め込みピンに嵌め込まれることを特徴とする、請求項１記載の回転ノブによる符号化スイッチ。
【請求項５】
嵌め込みリングを更に備え、且つ壁部、前記壁部内に形成される心残し中ぐり、及び前記壁部の上部に設けられると共に延出されて前記心残し中ぐりに進入する当接部を有し、前記キャップの回転面の底縁には外に向けてフランジが延出され、前記嵌め込みリングは前記心残し中ぐりから前記キャップに覆設され、前記当接部は前記フランジに当接されることを特徴とする、請求項１記載の回転ノブによる符号化スイッチ。
【請求項６】
前記第二基板には前記駆動モジュールの台座を支持させる複数の支持ピンが設置され、且つ各導通端子及び各接続端子は前記第二基板を載置させるための支持ブロックをそれぞれ有することを特徴とする、請求項１記載の回転ノブによる符号化スイッチ。
【請求項７】
前記応用端製品には受電可能な最大値が既定されると共に前記受電の最大値を複数の段階に分けられ、いずれか１つの前記複数の段階の受電値は前記キャップが前記回転部材を回転させることで到達し、対応する符号化信号を発信させ、また、前記キャップは若干の巻き数連続回転して何れか１つの前記複数の段階への定位を達成させることを特徴とする、請求項１記載の回転ノブによる符号化スイッチ。
【請求項８】
前記符号化信号はパルス幅変調方式で、外部電源からの給電を始動或いは／及び徐々に高め、または前記符号化信号により前記外部電源からの給電を停止或いは／及び徐々に低下させることを特徴とする、請求項１記載の回転ノブによる符号化スイッチ。
【請求項９】
軸桿、位置限定部及び環状軌道からなり、前記軸桿及び前記位置限定部はそれの表面からそれぞれ突出されると共に相互に間隔をあけ、前記環状軌道は前記軸桿に周設されると共に前記軸桿は位置限定部の間に形成される台座と、
前記軸桿に枢設され、周縁には干渉歯車部が設けられると共に前記環状軌道に位置される回転部材と、
一端は前記台座の位置限定部内に連結され、他端は前記位置限定部から延出されると共に前記干渉歯車部に弾性により当接される弾性部材と、
前記干渉歯車部及び前記位置限定部に冠着される蓋体と、
前記台座の底部に周設され、各々の一端は前記台座から延出されて溶接アームを形成させる複数の信号端子と、
前記回転部材の底部に設置され、前記複数の信号端子の複数の接触アームに電気的に接続される接触素子と、
光透過カバー、連接座及び前記連接座に内設される第二発光素子で構成され、前記光透過カバーは前記連接座に移動可能に連結され、第二発光素子は前記光透過カバーが押圧されることで発光を行う押下装置を備え、
前記回転部材は前記環状軌道に沿って枢動されると共に前記接触素子及び前記干渉歯車部を連動させて回転させ、前記接触素子の複数の接触アームを前記環状軌道に沿わせて前記複数の信号端子の異なる部位に電気的に接触させ、電気信号を回路モジュールに伝送させて異なる符号化信号を発信させ、前記弾性部材は前記干渉歯車部の回転に従って変形すると共に前記位置限定部内まで後退し、前記回転部材が回転し定位すると、前記弾性部材は原状を回復すると共に前記干渉歯車部に弾性により当接されることを特徴とする、
回転ノブによる符号化スイッチ。
【請求項１０】
前記弾性部材はバネ及び当接用ヘッドを備え、前記バネの一端は前記台座の位置限定部内に固定され、他端は前記当接用ヘッドに当接され、前記当接用ヘッドは前記回転部材の干渉歯車部に当接され、前記干渉歯車部は同一平面に相互に配列される複数の歯車端部及び歯溝を有し、前記当接用ヘッドは前記干渉歯車部の回転に従って前記バネを圧縮させると共に前記位置限定部内に向けて移動させ、前記回転部材が回転して定位すると、前記バネは前記当接用ヘッドを外に向けて押して前記干渉歯車部の歯溝に当接させることを特徴とする、請求項９記載の回転ノブによる符号化スイッチ。
【発明の詳細な説明】
【技術分野】
【０００１】
本発明は、機械式と回転符号化機能を結合させ、連続回転により多段階制御を行い、且つ段階表示機能を有する回転ノブによる符号化スイッチに関する。
【背景技術】
【０００２】
電子製品は一般的に皆スイッチを配置して機能の入り切りの制御を行う。スイッチの種類は多様であるが、目的は全て応用端製品の機能を有効的に発揮させることである。例えば扇風機の回転速度、クーラーの冷気の強弱、音響機器の音量、ライトの明るさ、及び無線機器の信号の強弱等である。
【０００３】
なお、従来の機械式回転スイッチは機械部材で構成され、本体及び本体に枢設されると共に使用者により回転される回転スイッチを有し、歯状の構造と金属バネ板との係合を利用して回転定位を達成させる。
【発明の概要】
【発明が解決しようとする課題】
【０００４】
しかしながら、前述した従来の技術では、金属バネ板はカンチレバー構造であり、一定時間使用するとすぐに弾性疲労を起こし、バネ板が有効的に且つ確実に歯状構造に係合されなくなる。また、カンチレバー構造のバネ板の一端は通常溶接により固定されるか、或いはカバーから延出され、バネ板の他端は係合動作が反復して行われることで引張力が作用し前記バネ板の固定端が脱離或いは変形してバネ板の作用が失われることがある。
また、切換式スイッチとは違い、回転式スイッチの目的は主に回転経路を利用して多段階式の導通を行い応用端製品の機能を制御させることであり、例えばライトの明るさや音量調整等を制御させる。さらに、従来の機械式回転スイッチは段階調整に制限があり、換言すれば、一周３６０度の回転は、段階調整が一周の回転に制限されることを意味し、持続的に回転させてより多くの段階の変化をもたらすことが出来ないため、製品の効果を有効的に発揮できず、使用者の望む製品の制御の需要に応えられない。
【０００５】
しかも、従来の回転スイッチには回転段階の表示機能は無く、あっても前記スイッチの表面に記号を標示させて回転定位を識別させる程度である。このため、回転後の定位は外から見てもよく分からず、暗い場所では尚識別が困難である。
【０００６】
そこで、本発明者は上記の欠点が改善可能と考え、鋭意検討を重ねた結果、合理的設計で上記の課題を効果的に改善する本発明の提案に到った。
【０００７】
本発明は、上述のような従来の問題を解決するためになされたもので、上記課題解決のため、本発明は、回転段階の表示機能を有し、高速且つ明確に回転段階を識別可能になる回転ノブによる符号化スイッチを提供することを主目的とする。
【０００８】
本発明の他の目的は、スイッチが連続回転することで異なる符号化信号を発信させ、応用端製品の機能を有効的に制御させて発揮させる回転ノブによる符号化スイッチを提供する。
【課題を解決するための手段】
【０００９】
上述した課題を解決し、目的を達成するために、本発明に係る回転ノブによる符号化スイッチは、透光材質で製造され、表示面、回転面及び軸筒からなり、前記回転面は前記表示面の周縁から下に向けて延出されることで形成され、前記軸筒は前記表示面を貫通させると共に下に向けて延出されるキャップと、台座及び前記台座に回転するように連結される回転部材からなり、前記回転部材は前記キャップの軸筒内に覆設され、それは応用端製品の回路基板に電気的に接続される駆動モジュールと、貫通孔及び若干の第一発光素子を有し、これら前記第一発光素子は前記貫通孔を包囲させるようにそれに設置されると共に前記キャップの表示面に対向させ、前記貫通孔は前記駆動モジュールの回転部材を貫通させるように前記台座に設けられる第一基板と、前記駆動モジュールの下方に設置され、複数の端子孔及び複数の導通端子で構成される第二基板と、前記第二基板の複数の端子孔にそれぞれ穿設され、前記第一基板及び第二基板電気的に接続される複数の接続端子を備え、前記駆動モジュールの回転部材は前記キャップの回転に従って回転され、さらに各回転定位により異なる符号化信号を発信させて前記応用端製品の機能を制御させ、且つこれら前記第一発光素子は前記キャップの回転定位及び回転方向に基づいて順に発光または消灯を行うと共に前記キャップの表示面に表示させることを特徴とする。
【００１０】
本発明の好ましい実施形態によれば、前記駆動モジュールの台座は、軸桿、位置限定部及び環状軌道を備え、前記軸桿及び前記位置限定部は前記台座の表面からそれぞれ突出されると共に相互に間隔をあけ、前記環状軌道は前記軸桿に周設されると共に前記軸桿と位置限定部との間に形成される。前記回転部材は前記軸桿に枢設されると共に周縁には干渉歯車部が設けられ、前記環状軌道に位置される。前記駆動モジュールは、一端は前記台座の位置限定部内に連結され、他端は前記位置限定部から延出されると共に前記干渉歯車部に弾性により当接される弾性部材、前記干渉歯車部及び前記位置限定部に冠着される蓋体、前記台座の底部に周設され、各々の一端は前記台座から延出されて溶接アームを形成させ、前記第二基板に電気的に接続される複数の信号端子、前記回転部材の底部に設置され、前記複数の信号端子に電気的に接続されるための複数の接触アームからなる接触素子、及び前記軸桿に内設され、光透過カバー、連接座及び前記連接座に内設される少なくとも１つの第二発光素子で構成され、前記光透過カバーは前記連接座に移動可能に連結され、且つ前記光透過カバーの上部は前記キャップの軸筒の外に露出されて押圧に用いられ、前記第二発光素子は前記光透過カバーが押圧されることで発光を行う押下装置を更に備える。前述の構造により、前記回転部材は前記環状軌道に沿って枢動され、前記接触素子及び前記干渉歯車部を連動させて回転させ、前記接触素子の複数の接触アームを前記環状軌道に沿わせて前記複数の信号端子の異なる部位に電気的に接触させ、電気信号を前記応用端製品の回路に伝送させ、異なる符号化信号を発信させ、前記弾性部材は前記干渉歯車部の回転に従って変形される共に前記位置限定部内まで後退し、前記回転部材は定位するまで回転し、前記弾性部材は原状を回復させると共に前記干渉歯車部に弾性により当接される。
【発明の効果】
【００１１】
本発明に係る回転ノブによる符号化スイッチは、前記弾性部材と前記干渉歯車部との係合を利用し回転部材の回転定位を行い、従来のスイッチではバネ板を用いて定位させるため損壊しやすいという欠点を効果的に解決する。
また、応用端製品の受電最大値と組み合わせ、回転符号化を複数の段階に分け、各回転定位に基づいて対応する符号化信号を発信させることで応用端製品を制御させ、且つ応用端製品の機能の変化をより細かにし、従来のスイッチには段階の切換に制限があり、製品の機能を十分に発揮できないという欠点を克服する。
このほか、本発明は更に複数の第一発光素子を用いて回転段階の定位を表示させ、従来の回転スイッチでは回転定位を識別できないという問題を有効的に解決する。
【図面の簡単な説明】
【００１２】
【図１】本発明の第１実施形態による回転ノブによる符号化スイッチを示す展開図である。
【図２】図１に示す一部の傾斜の構成図である。
【図３】図１に示す傾斜の構成図である。
【図４】図３の上面から見た平面図である。
【図５】本発明のキャップを見上げた角度の傾斜の概略図である。
【図６】本発明の駆動モジュールを示す傾斜の展開図である。
【図７】図６の傾斜の構成図である。
【図８】本発明の弾性素子及び干渉歯車部が当接される上面図である。
【図９】図８の弾性素子が干渉歯車部に当接し位置決めされる上面図である。
【発明を実施するための形態】
【００１３】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【００１４】
本発明に係る回転ノブによる符号化スイッチ１は電子製品、電器製品或いは照明設備に応用され、応用端製品の起動と停止を制御させ、及び／或いは製品の各種機能を調整させる。例えば、明暗、音量、風速（扇風機等）、火力（ガスコンロ等）等を調整させ、多段階式の精密な機能変化を提供する。
【００１５】
以下、本発明の実施形態について、図１ないし図５を参照しながら説明する。
本発明の回転ノブによる符号化スイッチ１はキャップ２、嵌め込みリング３、第一基板４、駆動モジュール５、及び第二基板８を備える。キャップ２は透光材質で製造され、表示面２１、回転面２２及び軸筒２０を含む。回転面２２は表示面２１の周縁に沿って下に向けて延出されることで形成される。軸筒２０は表示面２１の中央部分から貫通すると共に下に向けて延出され、且つ軸筒２０の内表面には複数の嵌め込みピン２０１が凸設されると共に相互に間隔をあけて設置される（図５参照）。
表示面２１或いは回転面２２は設計の需要に基づいて均しくレーザー彫刻或いはレーザープリントにより特定のパターンを加えてもよく、内部が発光することで視覚的効果を形成させる。また、キャップ２の回転面２２の底縁から外に向けてフランジ２３が延出される。
【００１６】
嵌め込みリング３は壁部３１、壁部３１内に形成される心残し中ぐり３０、及び壁部３１の上部に設けられると共に延出されて心残し中ぐり３０に進入する当接部３２を有する。嵌め込みリング３は心残し中ぐり３０からキャップ２に覆設され、且つ当接部３２はキャップ２のフランジ２３に当接される。
また、壁部３１の周縁には複数の留め金板３１１を更に有し、応用端製品（図示せず）の対応する連結構造に連結される。
他の実施形態では、本発明の回転ノブによる符号化スイッチ１には嵌め込みリング３が設置されず、スイッチが前記応用端製品の回路基板に直接溶接される（図示せず）。
【００１７】
駆動モジュール５は蓋体５０、台座５１、弾性部材６、回転部材５２及び接触素子５４を備える（図６参照）。回転部材５２は台座５１に回転するように連結される。回転部材５２の外表面には複数の凹部５２４が設けられ、キャップ２の軸筒２０の複数の嵌め込みピン２０１に対応するように設置されると共に回転部材５２の上部から延出される。これにより、回転部材５２は複数の凹部５２４を利用して前記複数の嵌め込みピン２０１に嵌め込まれる。
【００１８】
また、第一基板４は回路基板であり、貫通孔４０及び若干の第一発光素子４１を有する。これら前記第一発光素子４１は貫通孔４０を包囲させるように第一基板４に設置されると共にキャップ２の表示面２１に対向させる。貫通孔４０は駆動モジュール５の回転部材５２の台座５１を貫通させる。
本実施形態によると、これら前記第一発光素子４１は発光ダイオードであり、数量は１６個であり、実際の使用状況に基づいて発光させると共にキャップ２の表示面２１及び回転面２２を透過させて外界に表示される。第一基板４は駆動モジュール５及び第二基板８の上方に位置され、且つキャップ２の表示面２１に近接するため、複数の第一発光素子４１の発光効果はキャップ２から離れていても弱まることはない。また、複数の第一発光素子４１は単独で第一基板４に設置されるためメンテナンス作業が容易になり、第一発光素子４１が損壊した場合、第一基板４に対し直接メンテナンスを行い交換でき、第二基板８の回路に影響を与えたり傷を付けるようなことはない。
【００１９】
第二基板８は回路基板であり、駆動モジュール５の下方に設置されると共に複数の端子孔８０にそれぞれ穿設される複数の導通端子８３及び複数の接続端子８２を備える。第二基板８には複数の支持ピン８１が更に間隔をあけて設置され、駆動モジュール５の台座５１を支持させると共に持ち上げ、台座５１と第二基板８との間の間隔を保持させ、第二基板８の回路に影響を与えるのを回避させる。
各導通端子８３は支持ブロック８３１を有し、各接続端子８２は支持ブロック８２１を有すると共に第二基板８の載置に用いられる。接続端子８２は第一基板４及び第二基板８を前記応用端製品の回路基板に電気的に接続させるために使用され、且つこれら前記第一発光素子４１を追随させて発光させる（図２参照）。導通端子８３は前記応用端製品の回路基板に連結され、駆動モジュール５と応用端製品回路基板との間の電気信号を導通させる。
【００２０】
本発明の使用時には、駆動モジュール５の回転部材５２はキャップ２の軸筒２０に相互に嵌合されるため、回転キャップ２は回転部材５２を連動させて回転させる。この際、駆動モジュール５内の接触素子５４は回転方向及び回転段階に基づいて下方の複数の信号端子５３に順に接触してゆき、さらに各回転定位に基づいて異なる符号化信号を発生させて前記応用端製品の機能を実行させる。
また、これら前記第一発光素子４１はキャップ２の回転定位及び回転方向に基づいて順に発光或いは消灯を行うと共にキャップ２の表示面２１に表示させる。例えば、これら前記第一発光素子４１はキャップ２が回転する度に発光を行い、或いは徐々に発光させてゆき、または実際の需要に合わせて発光方式を設計させ、応用端製品の処理装置と組み合わせて制御させる。つまりは、使用者は第一発光素子４１の発光からキャップ２の回転定位を明確に識別でき、制御される製品の機能の段階を理解できる。
【００２１】
ちなみに、本発明の駆動モジュール５は改良された回転段階の構造を有する。図６及び図７は本発明の駆動モジュール５の分解図及び立体図である。前記駆動モジュール５の台座５１は軸桿５１１、位置限定部５１２及び環状軌道５１０を備え、軸桿５１１は円形柱体であり、中央は中空状になると共に台座５１の底部を貫通させ、軸桿５１１及び位置限定部５１２は台座５１１の上表面からそれぞれ突出されると共に相互に間隔をあける。
環状軌道５１０は軸桿５１１を包囲するように台座５１に設けられると共に軸桿５１１と位置限定部５１２との間に形成される。位置限定部５１２は台座５１の一角に位置されると共に位置限定溝５１３が設けられ、一端は開放されて環状軌道５１０に連通され、且つ上方は外に開放されると共に弾性部材６が装設される。このほか、台座５１の対向する二側には２つのストッパー５１４がそれぞれ凸設され、蓋体５０との嵌合に用いられる。
【００２２】
回転部材５２は台座５１の上方から軸桿５１１に覆設され、軸桿５１１に対応させるために中空状である。回転部材５２の底部の周縁には干渉歯車部５２１が設けられ、複数の歯車端部５２２及び各歯車端部５２２に連接される歯溝５２３を備える。
この好ましい実施形態では、複数の歯車端部５２２及び歯溝５２３は共に連続する弧形状の表面を形成させると共に同一の平面に相互に配列され、弾性部材６の回転への干渉に用いられる。回転部材５２は前記環状軌道５１０に対して設置されると共に軸桿５１１は枢軸となり時計回り或いは逆時計回りの方向に回転する。
【００２３】
図６によれば、台座５１の底部には複数の信号端子５３が更に周設され、各信号端子５３の一端は台座５１３から延出されて溶接アーム５３２を形成させ、他端は接触面５３１となり環状軌道５１０の外に露出される。接触素子５４は回転部材５２の底部に固設されると共に環状形状を有し、金属材質で製造され、複数の接触アーム５４１を備え、各接触アーム５４１の一端は下に向けて傾斜して延出され、複数の信号端子５３の接触面５３１との接触に用いられる。これら前記溶接アーム５３２は第二基板８に電気的に接続される。
【００２４】
図６及び図７に示すように、蓋体５０は金属材質で製造されると共に心残し中ぐり５００が設けられ、心残し中ぐり５００は台座５１の上方から回転部材５２に覆設されると共に干渉歯車部５２１及び位置限定部５１２に冠着される。蓋体５０の二側の前記ストッパー５１４に対応させる箇所はそれぞれ延出されると共に係合部材５０１が湾曲され、ストッパー５１４に嵌め込まれる。
【００２５】
従来の機械式回転スイッチとは違い、本発明が応用される応用端製品には受電可能な最大値が既定されると共に前記受電の最大値は複数の段階に分けられる。例えば、応用端製品が電子ライトである場合（図示せず）、前記ライトの最大電力が６０ワットならば、使用上の需要に合わせて前記最大電力を１０段階等の複数の段階に分け、本発明の回転ノブによる符号化スイッチ１を一回転で８段階の切換に設定させ、１と１／４の回転で前述の１０段階の最大値の切換を達成させるようにし、キャップ２が何れか１つの段階まで回転されると前記段階への機能の切換制御が達成される。このように、複数の段階に分けることで応用端製品の電子ライトの明暗の変化がより繊細になり、また、他の応用例では音量のより精確な調整が可能になる。
【００２６】
ちなみに、この好ましい実施形態では、弾性部材６はバネ６１及び当接用ヘッド６２を備え、バネ６１の一端は台座５１の位置限定溝５１３内に固定され、他端は前記当接用ヘッド６２に当接される。当接用ヘッド６２は金属材質で製造され、弧形状の端面を有すると共に回転部材５２の干渉歯車部５２１に水平方向に当接される。
【００２７】
図８及び図９に示すように、本発明の駆動モジュールの使用では、回転部材５２はキャップ２が回転されることで回転され、且つ回転部材５２は環状軌道５１０に沿って枢動すると共に接触素子５４及び干渉歯車部５２１を連動させて回転させ、接触素子５４の複数の接触アーム５４１を前記環状軌道５１０に沿わせて複数の信号端子５３の異なる部位に電気的に接触させ、さらに電気信号を応用端製品に伝送させて異なる符号化信号を発信させる。
同時に、前記弾性部材６は干渉歯車部５２１の回転に従って変形すると共に位置限定部５１２内まで後退する。換言すれば、回転部材５２が回転すると弾性部材６の当接用ヘッド６２は干渉歯車部５２１の回転に従ってこれら前記歯車端部５２２に抵触し、さらにバネ６１を圧縮させて位置限定部５１２の位置限定溝５１３内に向けて移動させ、回転部材５２が回転されて定位されると、バネ６１は当接用ヘッド６２を外に向けて押して干渉歯車部５２１のこれら前記歯溝５２３の内の何れか１つに当接させる。
【００２８】
なお、前述したように、回転部材５２の各回転定位は前述の複数の段階の内の何れか１つの値を示し、実際の応用では、時計回り方向の回転は値の増加と定義され、逆時計回り方向の回転は値の減少と定義される。前記回転部材は若干の巻き数連続回転して何れか１つの前記複数の段階の定位値を達成させる。
【００２９】
しかも、本発明に係る回転ノブによる符号化スイッチ１が出力させる符号化信号はパルス幅変調方式であり、外部電源からの給電を入れ切りさせると共に外部電源からの給電量を制御させる。符号化信号はパルス幅変調方式のデジタル信号であるため、制御精度は従来の機械式回転スイッチよりも精確である。
【００３０】
本発明の回転ノブによる符号化スイッチ１は、光透過カバー７１、連接座７２及び少なくとも１つの連接座７２に内設される第二発光素子７３で構成される押下装置７を更に備える（図６参照）。
光透過カバー７１は連接座７２に移動可能に連結され、且つ光透過カバー７１の上部はキャップ２の軸筒２０の外に露出され（図３参照）、押圧に用いられる。そこで、回転ノブによる符号化スイッチ１は回転方式により異なる導通効果を達成させる以外、押下装置７による押圧方式により第二発光素子７３に発光を行わせ、スイッチの入れ切り状態を識別させる。回転部材５２が異なる回転段階に調整されると、第二発光素子７３は対応させて発光を異なる明るさに変化させる。前記第二発光素子７３は発光ダイオードである。特段説明すると、本発明に係る回転ノブによる符号化スイッチ１は駆動モジュール５を単独で利用することで多段階の切換制御の目的を達成させる。
【００３１】
前述したように、本発明の回転ノブによる符号化スイッチ１は弾性部材６と回転部材５２の干渉歯車部５２１との係合を回転部材５２の回転定位に利用して、キャップ２により回転部材５２を回転させ、従来のスイッチではバネ板を用いた定位のために損壊しやすいという欠点を有効的に解決させる。
また、応用端製品の給電最大値に合わせて回転符号化を複数の段階に分け、各回転定位に基づいて対応する符号化信号を発信させることで応用端製品の機能の変化をより精細に制御させて発揮させ、従来のスイッチでは段階の切換に制限があり、製品の機能を十分に発揮できないという欠点を克服させる。このほか、本発明では複数の第一発光素子４１を更に用いてキャップ２と組み合わせて回転段階を表示させることで、従来の回転スイッチでは回転定位が識別できないという問題を効果的に解決させる。
【００３２】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００３３】
１      回転ノブによる符号化スイッチ
２      キャップ
２０    軸筒
２０１  嵌め込みピン
２１    表示面
２２    回転面
２３    フランジ
３      嵌め込みリング
３０    心残し中ぐり
３１    壁部
３１１  留め金板
３２    当接部
４      第一基板
４０    貫通孔
４１    第一発光素子
５      駆動モジュール
５０    蓋体
５００  心残し中ぐり
５０１  係合部材
５１    台座
５１０  環状軌道
５１１  軸桿
５１２  位置限定部
５１３  位置限定溝
５１４  ストッパー
５２    回転部材
５２１  干渉歯車部
５２２  歯車端部
５２３  歯溝
５２４  凹部
５３    信号端子
５３１  接触面
５２３  溶接アーム
５４    接触素子
５４１  接触アーム
６      弾性部材
６１    バネ
６２    当接用ヘッド
７      押下装置
７１    光透過カバー
７２    連接座
７３    第二発光素子
８      第二基板
８０    端子孔
８１    支持ピン
８２    接続端子
８３    導通端子
８２１  支持ブロック
８３１  支持ブロック
【図１】
2015165486.tif 000003
【図２】
2015165486.tif 000004
【図３】
2015165486.tif 000005
【図４】
2015165486.tif 000006
【図５】
2015165486.tif 000007
【図６】
2015165486.tif 000008
【図７】
2015165486.tif 000009
【図８】
2015165486.tif 000010
【図９】
2015165486.tif 000011